(57)【特許請求の範囲】
【請求項１】
システムであって、
情報処理装置、第１施術者端末、請求者端末、及び施設端末を備え、
前記情報処理装置は、マッチング部、通知部、及び受付部を備え、
前記マッチング部は、予め記憶された参照情報に基づいて、訪問施術を希望する施設からの距離が所定範囲内にある施術者を抽出し、ここで前記参照情報は、前記施設の住所又は居所と、前記施術者の住所又は居所とを管理する情報であり、
前記施設端末は、前記マッチング部によって前記施術者が抽出された場合、抽出された施術者から前記施設の担当者により選択された１人の施術者が操作する端末を示す第２施術者端末に依頼情報を送信し、ここで前記施設端末は、前記担当者が操作する端末であり、前記第１施術者端末は、前記第２施術者端末を含み、
前記マッチング部は、前記第２施術者端末によって受託処理が実行された場合に、マッチング成立処理を実行し、
前記通知部は、第１金額の振込完了を示す第１通知を前記第２施術者端末に通知し、ここで前記第１金額は、前記第２施術者端末から入力された施術内容に基づいて確定した金額であり、
前記受付部は、前記通知部によって前記第１通知が通知された後、前記請求者端末から振込委託情報を受け付け、ここで前記請求者端末は、前記施術者から保険者に対する保険請求を代行する者が操作する端末であり、
前記通知部は、前記受付部によって前記振込委託情報が受け付けされた後、予め定められた第２金額の振込完了を示す第２通知を前記施設端末に通知する、
システム。
【請求項２】
請求項１に記載のシステムにおいて、
前記第１金額は、前記情報処理装置の運営元と前記施術者の間で締結されたシステム利用契約と、前記施設と前記施術者の間で締結された施設利用契約と、に基づいて決定された金額である、
システム。
【請求項３】
請求項１又は請求項２に記載のシステムにおいて、
前記第２金額は、前記施設と前記施術者の間で締結された施設利用契約に基づいて決定された金額である、
システム。
【請求項４】
請求項１〜請求項３のいずれか１項に記載のシステムにおいて、
前記情報処理装置は、管理部を備え、
前記管理部は、前記マッチング部により抽出された前記施術者と、前記施設との間で締結された施設利用契約に係る情報を管理可能に構成される、
システム。
【請求項５】
請求項１〜請求項４のいずれか１項に記載のシステムにおいて、
前記情報処理装置は、リマインド部を備え、
前記リマインド部は、前記第１通知が通知されてから予め定められた期間を超えても前記請求者端末から前記振込委託情報を受け付けない場合、前記第２施術者端末又は前記請求者端末に対してリマインドを通知する、
システム。
【請求項６】
請求項１〜請求項５のいずれか１項に記載のシステムにおいて、
前記情報処理装置は、学習部を備え、
前記学習部は、前記受付部が受け付けたデータであって、基本項目データ、経過項目データ、及び治療項目データに対して機械学習を実行可能に構成され、
前記基本項目データは、前記施術者により施術がなされた被施術者を特定する情報と、前記被施術者が有する傷病に関する情報を含み、
前記経過項目データは、前記被施術者の日常生活動作に対する評価を表す情報、バイタルデータ、投薬に関する情報を含み、
前記治療項目データは、前記被施術者に対する治療内容を表す情報を含む、
システム。
【請求項７】
請求項６に記載のシステムにおいて、
前記学習部は、前記受付部が受け付けた評価情報を学習対象とし、
前記評価情報は、前記施設端末により入力される情報であり、前記施術者に対する前記被施術者からの評価を表す情報である、
システム。
【請求項８】
請求項６又は請求項７に記載のシステムにおいて、
前記情報処理装置は、提示部を備え、
前記提示部は、前記学習部による機械学習により生成された学習モデルに対して被施術者の前記基本項目データ及び前記経過項目データが入力されると、前記被施術者に対する治療項目を提示可能に構成される、
システム。
【発明の詳細な説明】
【技術分野】
【０００１】
本発明は、情報処理装置、システム及びプログラムに関する。
【０００２】
高齢化社会の到来により、施術者が被施術者の自宅や施設等の滞在先に訪問し、被施術者の症状に合わせた施術を行う訪問施術の需要が増加すると考えられる。
【０００３】
特許文献１には、人材融通計画を作成する人材融通マッチングエンジンを備える統合型巡回支援サービスシステム及び方法が開示されている。
【先行技術文献】
【特許文献】
【０００４】
【特許文献１】特開２００５−５６１３１号公報
【発明の概要】
【発明が解決しようとする課題】
【０００５】
ところで、現状では、被施術者が滞在する施設は部屋数以上の売上を得ることが難しく、施術者は被施術者からの依頼数により収入が安定しない場合がある。
【０００６】
本発明は、かかる事情を鑑みてなされたものであり、施設と施術者をマッチングさせ、施設の売上を向上させるとともに、施術者の定期収入の確保を支援可能な情報処理装置、システム及びプログラムを提供することを目的とする。
【課題を解決するための手段】
【０００７】
本発明によれば、情報処理装置であって、マッチング部、通知部、及び受付部を備え、前記マッチング部は、施術者と施設のマッチングサービスを提供可能に構成され、前記通知部は、施術者端末に対して予め定められた第１金額の振込を通知する第１通知処理を実行可能に構成され、ここで、前記施術者端末は、前記マッチングサービスによりマッチングが成立し、前記施設において施術をした施術者が操作する端末であり、前記受付部は、請求者端末から振込業務委託を受付可能に構成され、ここで、前記請求者端末は、前記施術者から保険者に対する保険請求を代行する者が操作する端末であり、前記通知部は、前記受付部が前記振込業務委託を受け付けた場合、施設端末に対して予め定められた第２金額の振込を通知する第２通知処理を実行可能に構成され、ここで、前記施設端末は、前記マッチングサービスによりマッチングが成立し、前記施術者により施術がなされた施設の担当者が操作する端末である、情報処理装置が提供される。
【０００８】
本発明では、施設と施術者のマッチングが成立した場合に、通知部により、施術者に第１金額の振込を通知する第１通知処理と、施設に第２金額の振込を通知する第２通知処理を実行する。これにより、施設に滞在する被施術者から頂いた費用を施設と施術者に分配することが可能になる。
【図面の簡単な説明】
【０００９】
【図１】本発明の一実施形態に係る情報処理装置１を含むシステム１００の概略図である。
【図２】情報処理装置１の機能ブロック図である。
【図３】システム１００による種々の情報の流れを表す模式図である。
【図４】記憶部３０に記憶されるデータの一例である。
【図５】システム１００による処理の一例を表すアクティビティ図の一例である。
【発明を実施するための形態】
【００１０】
以下、図面を用いて本発明の実施形態について説明する。以下に示す実施形態中で示した各種特徴事項は、互いに組み合わせ可能である。
【００１１】
１．システム１００の概要
図１に示すように、本発明の一実施形態に係るシステム１００は、情報処理装置１と、施設端末４及び施術者端末５がネットワークＮＷを介して互いに接続されている。本実施形態では、システム１００はさらに、請求者端末６がネットワークＮＷを介して互いに接続されている。なお、情報処理装置１と保険者端末７がネットワークＮＷを介して接続されてもよい。
【００１２】
情報処理装置１は、例えばサーバにより構成される。施設端末４は、情報処理装置１により提供されるマッチングサービスによりマッチングが成立し、施術者により施術がなされた施設の担当者が操作する端末である。施術者端末は、マッチングサービスによりマッチングが成立し、施設において施術をした施術者が操作する端末である。請求者端末６は、施術者から保険者に対する保険請求を代行する者が操作する端末である。保険者端末７は、保険者（例：健康保険組合）が操作する端末である。施設端末４、施術者端末５、請求者端末６及び保険者端末７は、任意のコンピュータにより構成される。これらの端末は、例えば、スマートフォン、タブレット端末、パーソナルコンピュータにより構成される。
【００１３】
２．情報処理装置１の概要
図２に示すように、情報処理装置１は、制御部１０、通信部２０及び記憶部３０を備える。ここで、情報処理装置１は、以下の各機能に加え、電子カルテ、レセプト及びその他の機能を備えるＰＯＳシステム（Ｐｏｉｎｔ  ｏｆ  ｓａｌｅ  ｓｙｓｔｅｍ）及びＣＲＭシステム（Ｃｕｓｔｏｍｅｒ  Ｒｅｌａｔｉｏｎｓｈｉｐ  Ｍａｎａｇｅｍｅｎｔ  ｓｙｓｔｅｍ）を提供することが好ましい。
【００１４】
２−１．制御部１０
制御部１０は、情報処理装置１に関連する全体動作の処理・制御を行う。制御部１０は、例えば不図示の中央処理装置（Ｃｅｎｔｒａｌ  Ｐｒｏｃｅｓｓｉｎｇ  Ｕｎｉｔ：ＣＰＵ）として実現される。すなわち、ソフトウェア（後述の記憶部３０に記憶されている）による情報処理がハードウェア（制御部１０）によって具体的に実現されることによって、制御部１０が様々な機能を有することが可能になる。具体的には、制御部１０は、マッチング部１１、通知部１２、受付部１３、管理部１４、リマインド部１５、学習部１６、提示部１７を備える。
【００１５】
＜マッチング部１１＞
マッチング部１１は、施術者と施設のマッチングサービスを提供可能に構成される。具体的には、かかるマッチングサービスは、施設向けに、訪問施術を希望する施設の所定範囲内（例：施設を中心とした半径１６ｋｍ以内）の施術者の抽出機能を提供することができる。また、施術者向けには、連携可能な施設から所定範囲内（例：施設を中心とした半径１６ｋｍ以内）の医師情報の検索機能を提供することができる。
【００１６】
＜通知部１２＞
通知部１２は、施術者端末５に対して予め定められた第１金額の振込を通知する第１通知処理を実行可能に構成される。ここで、第１金額の定め方は特に限定されないが、例えば以下の規則により第１金額を定めることができる。
・情報処理装置１が提供するシステム利用料：Ｘ
・施設が受け取る金額（第２金額）：Ｙ
・手数料：Ｚ
・第１金額：Ｚ―Ｘ−Ｙ
【００１７】
例えば、システム利用料（Ｘ）が３０、第２金額（Ｙ）が１０、手数料（Ｚ）が８０である場合、施術者が受け取る第１金額は、「８０−３０−１０＝４０」となる。
【００１８】
すなわち、本実施形態では、第１金額は、情報処理装置１の運営元と施術者の間で締結されたシステム利用契約と、施設と施術者の間で締結された施設利用契約と、に基づいて決定された金額である。なお、施設と施術者の間で締結された施設利用契約により、第２金額が決定される。
【００１９】
また、第２金額は、施設の利用時間に基づいて決定されてもよい。施設の利用時間は、施術者端末５と施設端末４から取得できるデータに基づいて自動的に算出することが好ましい。例えば、施術者端末５の位置情報や、情報処理装置１が提供する施設の予約システムの履歴を総合的に考慮することにより実現される。このとき、情報処理装置１が第２金額を算出し、第２金額を施設端末４と施術者端末５に通知する。そして、施設端末４と施術者端末５の両方から許可通知がなされた場合に、情報処理装置１は第２金額を確定する。これにより、施設側と施術者側での施設利用時間の認識のずれを防止することができる。
【００２０】
また、通知部１２は、受付部１３が振込業務委託を受け付けた場合、施設端末４に対して予め定められた第２金額の振込を通知する第２通知処理を実行可能に構成される。本実施形態では、振込業務依頼とは、請求者端末６の利用者から情報処理装置１の運営元に対してなされる業務委託であって、施設への第２金額の振込を代行してもらうための業務委託の依頼である。
【００２１】
本実施形態では、第２金額は、施設と施術者の間で締結された施設利用契約に基づいて決定された金額である。
【００２２】
＜受付部１３＞
受付部１３は、請求者端末６から振込業務委託を受付可能に構成される。かかる振込業務委託は、メール、チャット、システムへの入力、ＦＡＸ、電話等による委託をトリガーとし、受付部１３により情報処理装置１に登録される状態となる。
【００２３】
＜管理部１４＞
管理部１４は、マッチングサービスによりマッチングが成立した施設と施術者の間で締結された施設利用契約を管理可能に構成される。本実施形態では、施設利用契約とは、施術者が定期的に施設を訪問し、被施術者に対して施術をするにあたり、施術者から施設に対する施設利用の費用及び種々の条件を定める契約である。
【００２４】
＜リマインド部１５＞
リマインド部１５は、後述の第１通知処理が実行されてから予め定められた期間を超えても請求者端末６からの振込業務委託がなされない場合、施術者端末５又は請求者端末６に対してリマインドを通知する。詳細は図５を用いて後述する。
【００２５】
＜学習部１６＞
学習部１６は、受付部１３が受け付けたデータであって、基本項目データ、経過項目データ、及び治療項目データに対して機械学習を実行可能に構成される。
【００２６】
本実施形態では、基本項目データは、施術者により施術がなされた被施術者を特定する情報と、被施術者が有する傷病に関する情報を含む。具体的には、基本項目データは、被施術者の氏名、性別、年齢、傷病（例：持病又は現在有する病気名、傷名）、負傷原因等を含む。ここで、基本項目データはこれに限られず、被施術者の住所、アルコール又はタバコの有無又は量、食生活、運動の有無等を含んでもよい。なお、基本項目データは、上記で列挙した内容を全部含まなくてもよい。
【００２７】
また、本実施形態では、経過項目データは、被施術者の日常生活動作に対する評価を表す情報、バイタルデータ、投薬に関する情報を含む。具体的には、経過項目データは、日常生活動作（ＡＤＬ：Ａｃｔｉｖｉｔｉｅｓ  ｏｆ  Ｄａｉｌｙ  Ｌｉｖｉｎｇ）に対する評価、血圧、脈拍、投薬種類、投薬量を含む。なお、経過項目データは、上記で列挙した内容を全部含まなくてもよく、これ以外の情報（例：投薬頻度）を含んでもよい。
【００２８】
また、本実施形態では、治療項目データは、被施術者に対する治療内容を表す情報を含む。具体的には、治療項目データは、被施術者がなされた治療が鍼灸である場合には、鍼の種類、刺入角度、刺入深度、刺時反応、打刺ポイント、治療間隔を含む。なお、治療項目データは、上記で列挙した内容を全部含まなくてもよく、これ以外の情報を含んでもよい。また、被施術者がなされた治療は鍼灸に限定されず、お灸、漢方、ストレッチ等の施術であってもよい。
【００２９】
そして、学習部１６は、基本項目データ、経過項目データ、治療項目データを入力データとし、これらに対して機械学習を実行することにより、学習モデルを生成する。このとき、教師データとして、実際の施術又は投薬により、被施術者の容態が良くなったケース（例：投薬量の減少、ＡＤＬの向上、バイタルデータの向上）を利用することが好ましい。
【００３０】
さらに、学習部１６は、通信部２０が受け付けた評価情報を学習対象としてもよい。ここで、評価情報は、施設端末４により入力される情報であり、施術者に対する被施術者からの評価を表す情報である。これは、優秀な施術者であっても、被施術者との相性によっては、被施術者が不満を抱くことがあり得るため、被施術者から施術者に対する評価を学習データとするものである。これにより、基本項目データ又は経過項目データを学習モデルに入力することにより、特定の被施術者と相性が悪いと想定される施術者に依頼することを事前に防ぐことが可能になる。
【００３１】
ここで、基本項目データ、経過項目データ、治療項目データは、施術者端末５により入力されてもよい。また、バイタルデータは、施設の担当者により施設端末４を用いて入力されるか、被施術者に装着したウェアラブルデバイスにより取得されてもよい。投薬種類、投薬量、投薬頻度は、施設の担当者又は被施術者により施設端末４を用いて入力されてもよい。これらの入力又は取得経路は単なる一例であり、これ以外の経路により種々のデータを取得することができる。
【００３２】
そして、これらのデータを利用して学習部１６による機械学習が実行されることにより、効率的な施術計画を立案することが可能になる。
【００３３】
＜提示部１７＞
提示部１７は、学習部１６による機械学習により生成された学習モデルに対して被施術者の基本項目データ及び経過項目データが入力されると、被施術者に対する治療項目を提示可能に構成される。これにより、特定の被施術者に対し、効率的な施術内容を迅速に決定することが可能になる。以下、具体的に説明する。
【００３４】
例えば、学習モデルに対し、以下の基本項目データ及び経過項目データが入力されたとする。
（基本項目データ）
被施術者名：山田  太郎
性別：男
年齢：７８歳
持病：甲状腺機能低下症
傷病：頚腕症候群
負傷原因：荷物の持ち上げ
（経過項目データ）
ＡＤＬ：６５
バイタル（血圧）：１４０／９０ｍｍＨｇ
投薬種類：抗精神薬
投薬量：毎朝１回
【００３５】
そして、学習モデルは、以下の治療項目データを出力する。
（治療項目データ）
鍼の種類：ステンレス０．１６ｍｍ
刺入角度：斜刺
刺入深度：１１ｍｍ
刺時反応：好転反応
打刺ポイント：画像表示
治療間隔：３日
【００３６】
そして、提示部１７は、学習モデルから出力された治療項目データを提示する。かかる提示は、例えば、施術者端末５等の端末に画像として表示させてもよく、音声として出力してもよい。これにより、経験の浅い施術者でも、熟練の施術者と同様の施術内容で被施術者を施術することが可能になる。
【００３７】
さらに、学習部１６と提示部１７を備えることにより、上記の処理を施術の専門学生等の訓練に応用することができる。このとき、ＶＲを利用し、打刺ポイントを表す画像を被訓練者に視覚的に提示することにより、被訓練者の理解が促進される。
【００３８】
２−２．通信部２０
通信部２０は、ネットワークＮＷを介して他の機能部と有線又は無線によりデータ通信可能に構成される。本実施形態では、通信部２０は、情報処理装置１を構成する他の構成要素や、ネットワークＮＷを介して施設端末４及び施術者端末５と通信可能に構成される。本実施形態では、通信部２０は、ネットワークＮＷを介して請求者端末６と通信可能に構成される。
【００３９】
２−３．記憶部３０
記憶部３０は、種々のプログラム及びデータを記憶するものであり、例えばメモリ、ハードディスク、ＳＳＤ等により構成される。本実施形態では、記憶部３０は、施術者データ、施設データ、契約書データ及びプログラムを記憶する。ここで、施術者データは、施術者に関するデータであり、施術者の住所又は居所、施術可能な内容、訪問施術可能な日時、経験等を含む。施設データは、施設の住所又は居所、被施術者の人数、年齢、性別、施術内容等に関する情報、訪問施術可能な日時等を含む。契約書データは、施設と施術者の間で締結された施設利用契約を表すものであり、施設利用料、ヘルパー補助費等を含む。プログラムは、制御部１０による処理を規定するものである。
【００４０】
ここで、図１の例では、記憶部３０が情報処理装置１に設けられる構成としているが、記憶部３０を情報処理装置１の外部に設け、必要に応じて情報処理装置１が記憶部３０にアクセスする、いわゆるクラウドコンピューティングの形態としてもよい。
【００４１】
情報処理装置１を構成する各構成要素は、ソフトウェアによって実現してもよく、ハードウェアによって実現してもよい。ソフトウェアによって実現する場合、ＣＰＵがプログラムを実行することによって各種機能を実現することができる。プログラムは、内蔵の記憶部に格納してもよく、コンピュータ読み取り可能な非一時的な記録媒体に格納してもよい。また、外部の記憶部に格納されたプログラムを読み出し、いわゆるクラウドコンピューティングにより実現してもよい。ハードウェアによって実現する場合、ＡＳＩＣ、ＦＰＧＡ、又はＤＲＰなどの種々の回路によって実現することができる。本実施形態においては、様々な情報やこれを包含する概念を取り扱うが、これらは、０又は１で構成される２進数のビット集合体として信号値の高低によって表され、上記のソフトウェア又はハードウェアの態様によって通信や演算が実行され得るものである。
【００４２】
３．システム１００による種々の情報の流れ
図３を用いて、システム１００による種々の情報の流れについて説明する。
【００４３】
１．システム利用契約
情報処理装置１の運営元と施術者端末５を操作する施術者の間で、情報処理装置１が提供するシステムの利用契約を締結する。ここで、かかるシステムは、マッチング部１１が提供するマッチングサービス、電子カルテ、レセプト及びその他の機能を備えるＰＯＳシステム及びＣＲＭシステムを含システムである。施術者端末５に専用のアプリケーションをインストールするか、ブラウザベースでかかるシステムを利用することができる。システム利用契約では、システム利用料が規定される。システム利用料は状況に応じて適宜設定することができる。
【００４４】
２．近隣の施術者を提示
情報処理装置１は、施設端末４に対し、施設から所定範囲内に住居又は居所を構える施術者を提示する。ここで、提示される施術者は、情報処理装置１が提供するマッチングサービスに登録された施術者であることが好ましい。このとき、登録された施術者のうち、マッチングを希望する施設が求める施術内容を提供可能な施術者をソートして提示してもよい。
【００４５】
３．体験会を依頼
施設端末４を操作することにより、提示された施術者のうち特定の施術者に対し、施術体験会を当該施設で開催してもらうことを依頼することができる。かかる体験会は、有償又は無償のいずれでも構わない。
【００４６】
４．施術
体験会の依頼を受諾した施術者は、施設を訪問し、被施術者に対して施術を行う。このとき、両者の条件が揃えば、定期訪問契約を締結してもよい。また、必要に応じて、施設に滞在する医師から保険適用となる施術を行うことに対する同意書を取得してもよい。
【００４７】
５．施設利用契約＋業務委託契約
施設と施術者の間で、施設利用契約やヘルパー補助の業務委託契約を締結する。ここで、ヘルパー補助の業務委託とは、施設の従業員等であって、施術者の施術を補助するヘルパーによる補助業務の提供に関する業務委託である。
【００４８】
ここで、図４に示すように、施設利用契約は、管理部１４により管理される。具体的には、管理部１４は、施設と施術者が対応付いたテーブルを生成し、かかるテーブルを記憶部３０に記憶させることにより、施設利用契約を管理する。図４の例では、施設毎に、施設利用契約の有無（契約締結：○  契約未締結：×）、医師の同意書の有無（同意書有り：○  同意書無し：×）に加え、施設利用料（施設と施術者の組み合わせにより異なる）を対応付けたテーブルにより、施設利用契約が管理される。なお、図４に示された情報以外の情報をテーブルに追加してもよい。例えば、施設利用契約の締結日及び契約期間、同意書の発行日等をテーブルに追加することができる。
【００４９】
６．所定額（第１金額）の支払い
施設と施術者の間でマッチングが成立すると、情報処理装置１の利用者から施術者端末５を操作する施術者に対し、第１金額を支払う。
【００５０】
本実施形態では、通知部１２は、施術者端末５に対して予め定められた第１金額の振込を通知する第１通知処理を実行する。かかる通知の形態は特に限定されず、メール、チャット、ＦＡＸ等により実行される。これにより、施術者は、自分が施術した対価が振り込まれたことを迅速に把握することが可能になる。
【００５１】
７．保険請求依頼（請求代行契約）
施術者は、請求者に対し、保険請求を依頼する。ここで、かかる依頼は、施術者と請求者の間で締結される請求代行契約に基づいてなされる。なお、請求代行契約についても、管理部１４が管理してもよい。
【００５２】
８．保険請求代行
請求者は、施術者から保険請求の依頼があった場合、保険者に対し、保険の請求を代行する。
【００５３】
９．保険支払い
保険者は、保険の請求があった場合、請求者に対し、法律で定められた保険料を支払う。
【００５４】
１０．振込業務委託（振込代行契約）
請求者は、保険者から保険料が振り込まれたことを確認すると、情報処理装置１の運営元に対し、施設に対する第２金額の振込を依頼する。かかる依頼は、請求者と情報処理装置１の運営元の間で締結された振込代行契約に基づいてなされる。なお、振込代行契約についても、管理部１４が管理してもよい。
【００５５】
１１．所定額（第２金額）の支払い
情報処理装置１の運営元は、請求者から振込業務委託の連絡があった場合、施設に対して第２金額を支払う。かかる費用は、施術に対する保険が支払われた後に支払う。
【００５６】
図３に示される１〜１１につき、移動金額をまとめると、以下の通りである。
（１）情報処理装置１の運営元
・−（８０−３０−１０）＝−４０（施術者へ第１金額を支払い）
・＋８０（振込業務委託）
・−１０（施設へ第２金額を後払い）
手元に残る金額：−４０＋８０−１０＝＋３０
（２）施術者：＋４０（第１金額）
（３）施設：＋１０（第２金額）
【００５７】
ここで、上記数値は、上述の条件（段落００１６）に基づいた値である。
【００５８】
＜３者のメリット＞
（１）施術者
施術者からすると、自ら保険申請する場合と比べて取得できる金額が低くなるように思えるが、情報処理装置１が提供するマッチングサービスを利用することにより、施設からの依頼が増加すると考えられ、これにより定期的な収入を得ることが可能になる。
【００５９】
（２）施設
施設利用料等で第２金額を受け取ることにより、施設の上限部屋数以上の売上を得ることが可能になる。
【００６０】
（３）情報処理装置１の運営元
システム利用料として施術者から所定額を受け取ることにより、一定の売上を立てることができる。
【００６１】
６．システム１００による処理
次に、図５を用いて、システム１００による処理について説明する。
【００６２】
情報処理装置１により、施設と施術者をマッチングするマッチングサービスが提供される（Ａ１１）。施設端末４により、希望の施術者に対して施術等が依頼される（Ａ２１）。施術者端末５により施術等を受託すると（Ａ３１）、情報処理装置１によりマッチング成立処理が実行される（Ａ１２）。ここで、マッチング成立処理は、マッチングした施設と施術者を対応付けたデータ（図４参照）の生成等を含む処理である。
【００６３】
このとき、学習部１６により生成された学習モデルに基本項目データ及び経過項目データを入力し、提示部１７が治療項目データを施術者に提示してもよい。ここで、基本項目データ及び経過項目データは、施術者が施設に到着する前に、施設の担当者が施設端末４から入力し、情報処理装置１に送信しておくことが好ましい。
【００６４】
その後、施術者が施設を訪問し、被施術者に対して所定の施術を施した後、施術者端末５により施術内容を入力する（Ａ３２）。これにより、被施術者が施術者に対して支払う金額が計算される。
【００６５】
情報処理装置１は、施術者端末５から入力された施術内容を記憶部３０に記憶する（Ａ１３）。このとき、情報処理装置１の運営元から施術者に対して支払われる第１金額が確定する。
【００６６】
そして、情報処理装置１の運営元から施術者に対して第１金額を振り込んだ後、通知部１２により、第１通知処理が実行される（Ａ１４）。そして、施術者は、施術者端末５に通知された内容を確認し、請求者端末６に対して保険料の請求依頼をする（Ａ３３）。
【００６７】
請求者は、請求者端末６により受け取った保険料の請求依頼を確認し、保険者が利用する保険者端末７に対して保険料の請求代行を行う（Ａ４１）。そして、保険者から所定の保険料を受け取った（Ａ４２）ことを確認し、情報処理装置１に対して第２金額を施設へ振り込む振込業務委託を送信する（Ａ４３）。
【００６８】
情報処理装置１が振込業務委託を受け取ったことを確認し、情報処理装置１の運営元から施設に対して第２金額の振込がなされる。そして、通知部１２により、第２通知処理が実行される（Ａ１５）。
【００６９】
ここで、リマインド部１５は、第１通知処理が実行されてから予め定められた期間を超えても請求者端末６からの振込業務委託がなされない場合、施術者端末５又は請求者端末６に対してリマインドを通知してもよい。これは、第１通知処理が実行されてから予め定められた期間を超えても請求者端末６からの振込業務委託がなされない場合とは、施術者端末５の操作者（施術者）が請求者に対して保険請求依頼をし忘れたか、請求者が保険者に対して保険料の請求代行をし忘れたか、あるいは保険者からの保険料の振込が遅れた場合である。したがって、かかる場合には、情報処理装置１の運営元から施術者又は請求者にリマインドを通知することにより、保険料の回収漏れを防止することが可能になる。
【００７０】
そして、施設端末４の操作者により、振込金額の確認がなされ（Ａ２２）、システム１００による処理が終了する。
【００７１】
以上説明した処理により、施設と施術者をマッチングさせ、施設の売上を向上させるとともに、施術者の定期収入の確保を支援しつつ、情報処理装置１の運営元にも利益を生むことが可能になる。
【００７２】
７．その他
本発明は、以下の態様でも実施可能である。
【００７３】
システムであって、情報処理装置、施術者端末、請求者端末、及び施設端末を備え、
前記情報処理装置は、マッチング部、通知部、及び受付部を備え、
前記マッチング部は、施術者と施設のマッチングサービスを提供可能に構成され、
前記通知部は、前記施術者端末に対して予め定められた第１金額の振込を通知する第１通知処理を実行可能に構成され、ここで、前記施術者端末は、前記マッチングサービスによりマッチングが成立し、前記施設において施術をした施術者が操作する端末であり、
前記受付部は、前記請求者端末から振込業務委託を受付可能に構成され、ここで、前記請求者端末は、前記施術者から保険者に対する保険請求を代行する者が操作する端末であり、
前記通知部は、前記受付部が前記振込業務委託を受け付けた場合、前記施設端末に対して予め定められた第２金額の振込を通知する第２通知処理を実行可能に構成され、ここで、前記施設端末は、前記マッチングサービスによりマッチングが成立し、前記施術者により施術がなされた施設の担当者が操作する端末である、
情報処理装置。
【００７４】
コンピュータを、マッチング部、通知部、及び受付部として機能させ、
前記マッチング部は、施術者と施設のマッチングサービスを提供可能に構成され、
前記通知部は、施術者端末に対して予め定められた第１金額の振込を通知する第１通知処理を実行可能に構成され、ここで、前記施術者端末は、前記マッチングサービスによりマッチングが成立し、前記施設において施術をした施術者が操作する端末であり、
前記受付部は、請求者端末から振込業務委託を受付可能に構成され、ここで、前記請求者端末は、前記施術者から保険者に対する保険請求を代行する者が操作する端末であり、
前記通知部は、前記受付部が前記振込業務委託を受け付けた場合、施設端末に対して予め定められた第２金額の振込を通知する第２通知処理を実行可能に構成され、ここで、前記施設端末は、前記マッチングサービスによりマッチングが成立し、前記施術者により施術がなされた施設の担当者が操作する端末である、
プログラム。
【００７５】
また、上述のプログラムを格納する、コンピュータ読み取り可能な非一時的な記録媒体として提供してもよい。
【００７６】
さらに、以下の機能を実装してもよい。
・情報処理装置１の運営元と、情報処理装置１が提供するサービスを利用する施術者の間で、レセプト作成数、電子カルテの作成数等に基づいた従量課金を徴収する契約を締結する。
・請求者と施術者の間で、保険料の請求代行数に基づいた従量課金を徴収する契約を締結する。
・施設と施術者の間で、施設の利用回数、ヘルパー補助の回数に基づいた従量課金を徴収する契約を締結する。
・情報処理装置１の管理部１４により、上記契約を管理する。
【符号の説明】
【００７７】
１        ：情報処理装置
４        ：施設端末
５        ：施術者端末
６        ：請求者端末
７        ：保険者端末
１０      ：制御部
１１      ：マッチング部
１２      ：通知部
１３      ：受付部
１４      ：管理部
１５      ：リマインド部
１６      ：学習部
１７      ：提示部
２０      ：通信部
３０      ：記憶部
１００    ：システム
ＮＷ      ：ネットワーク
【図１】
0006981635.tif 000002
【図２】
0006981635.tif 000003
【図３】
0006981635.tif 000004
【図４】
0006981635.tif 000005
【図５】
0006981635.tif 000006